(57)【要約】【課題】操作性の高いデジタルカメラを提供する。【解決手段】カメラボディ１２の背面に画像モニタ４２とステータスモニタ４４とが上下に並列して配置される。撮影中、画像モニタ４２にはスルー画像、ステータスモニタ４４には撮影情報が表示され、ＤＩＳＰボタン４８Ｅが押されると、ステータスモニタ４４の表示が前回撮影された画像に切り替わる。これにより、簡単に前回撮影された画像を参照しながら撮影することができる。【選択図】    図２
2004297358.tif 000002
【特許請求の範囲】
【請求項１】
カメラボディの背面に第１ディスプレイと第２ディスプレイとが上下又は左右に並列して配置されたデジタルカメラであって、
前記第１ディスプレイにスルー画像を表示させるとともに、前記第２ディスプレイに撮影情報を表示させ、操作部から所定の操作信号を入力すると、前記第２ディスプレイに前回撮影された画像を表示させる表示制御手段を備えたことを特徴とするデジタルカメラ。
【請求項２】
撮影実行後、前記表示制御手段は、前記第１ディスプレイに今回撮影された画像を表示させるとともに、前記第２ディスプレイに前回撮影された画像を表示させることを特徴とする請求項１に記載のデジタルカメラ。
【請求項３】
撮影実行後、前記表示制御手段は、前記第１ディスプレイに今回撮影された画像を表示させるとともに、前記第２ディスプレイに前回撮影された画像を表示させ、前記操作部から所定の操作信号を入力すると、前記第１ディスプレイに今回撮影された画像の撮影情報を表示させるとともに、前記第２ディスプレイに前回撮影された画像の撮影情報を表示させることを特徴とする請求項１に記載のデジタルカメラ。
【請求項４】
扁平縦長の直方体状に形成された前記カメラボディの背面右端又は左端のいずれか一方にグリップ部が形成されるとともに、他方に前記第１ディスプレイと前記第２ディスプレイとが縦列配置され、前記グリップ部に操作キーが縦列配置されたことを特徴とする請求項１、２又は３に記載のデジタルカメラ。
【請求項５】
上下又は左右に並列して配置された前記第１ディスプレイと前記第２ディスプレイとを液晶ディスプレイで構成するとともに、前記第１ディスプレイと前記第２ディスプレイとの間にバックライトの光源を配設して共用したことを特徴とする請求項１、２、３又は４に記載のデジタルカメラ。
【発明の詳細な説明】
【０００１】
【発明の属する技術分野】
本発明はデジタルカメラに係り、特にカメラボディの背面に２つのディスプレイを備えたデジタルカメラに関する。
【０００２】
【従来の技術】
一般にデジタルカメラのカメラボディには液晶モニタが備えられており、この液晶モニタにスルー画像や撮影済み画像、メニュー画面等を表示させるようにしている。
【０００３】
また、特許文献１のように、この画像表示用の液晶モニタの他に撮影条件や撮影可能枚数、電池残量などの情報を表示するモニタを別途備えたデジタルカメラも存在する。
【０００４】
また、特許文献２のように、カメラ本体から撮影ユニットが分離可能なデジタルカメラにおいて、カメラ本体と撮影ユニットの双方に液晶モニタを設け、撮影ユニットをカメラ本体から分離した場合であっても、撮影ユニット側で撮影画像の確認ができるようにしたデジタルカメラも存在する。
【０００５】
【特許文献１】
特開２０００−２５８８３３号公報
【０００６】
【特許文献２】
特開２００２−１３５６３３号公報
【０００７】
【発明が解決しようとする課題】
ところで、写真撮影を行なう場合、撮影者は同じ被写体に対して構図を変えてみたり、露出条件を変えてみたり、ホワイトバランスを変えてみたりして、一度に何回かの撮影を行なう場合がある。このような場合、デジタルカメラを用いた撮影では、設定変更の効果を撮影後すぐに確認することができる。
【０００８】
しかしながら、従来のデジタルカメラの場合、今回撮影しようとする画像の撮影条件等を設定するために、前回撮影した画像を参照しようとすると、一度カメラのモードを再生モードに切り替えなければならず、操作性が悪いという欠点があった。
【０００９】
また、従来のデジタルカメラの場合、前回撮影した画像を確認後、カメラのモードを撮影モードに切り替えると、液晶モニタの表示がスルー画像に切り替わってしまうため、撮影者は確認した前回撮影した画像の撮影条件等を記憶しておかなければならず、この点においても操作性が悪いという欠点があった。
【００１０】
また、撮影された画像と前回撮影した画像を比較する場合も従来のデジタルカメラの場合には、画面を切り替えて確認しなければならず、効果の違いを明確に把握することが難しいという欠点があった。
【００１１】
本発明は、このような事情に鑑みてなされたもので、操作性の高いデジタルカメラを提供することを目的とする。
【００１２】
【課題を解決するための手段】
請求項１に係る発明は、前記目的を達成するために、カメラボディの背面に第１ディスプレイと第２ディスプレイとが上下又は左右に並列して配置されたデジタルカメラであって、前記第１ディスプレイにスルー画像を表示させるとともに、前記第２ディスプレイに撮影情報を表示させ、操作部から所定の操作信号を入力すると、前記第２ディスプレイに前回撮影された画像を表示させる表示制御手段を備えたことを特徴とするデジタルカメラを提供する。
【００１３】
本発明によれば、カメラボディの背面に第１ディスプレイと第２ディスプレイの２つのディスプレイが並列して配置される。撮影中、第１ディスプレイにはスルー画像が表示され、第２ディスプレイには撮影情報が表示される。操作部で所定の操作が行なわれ、表示制御手段に所定の操作信号が入力されると、第２ディスプレイの表示が前回撮影された画像に切り替わる。これにより、簡単に前回撮影された画像を参照しながら撮影を行なうことができる。
【００１４】
請求項２に係る発明は、前記目的を達成するために、撮影実行後、前記表示制御手段は、前記第１ディスプレイに今回撮影された画像を表示させるとともに、前記第２ディスプレイに前回撮影された画像を表示させることを特徴とする請求項１に記載のデジタルカメラを提供する。
【００１５】
本発明によれば、撮影が行なわれると、並列して配置された第１ディスプレイと第２ディスプレイのうち、第１ディスプレイに今回撮影された画像が表示され、第２ディスプレイに前回撮影された画像が表示される。これにより、前回撮影された画像と今回撮影された画像の確認を容易に行なうことができ、撮影効果の確認を容易に行なうことができる。
【００１６】
請求項３に係る発明は、前記目的を達成するために、撮影実行後、前記表示制御手段は、前記第１ディスプレイに今回撮影された画像を表示させるとともに、前記第２ディスプレイに前回撮影された画像を表示させ、前記操作部から所定の操作信号を入力すると、前記第１ディスプレイに今回撮影された画像の撮影情報を表示させるとともに、前記第２ディスプレイに前回撮影された画像の撮影情報を表示させることを特徴とする請求項１に記載のデジタルカメラを提供する。
【００１７】
本発明によれば、撮影が行なわれると、第１ディスプレイに今回撮影された画像が表示され、第２ディスプレイに前回撮影された画像が表示される。この状態の下、操作部で所定の操作が行なわれ、表示制御手段に所定の操作信号が入力されると、第１ディスプレイに今回撮影された画像の撮影情報が表示され、第２ディスプレイに前回撮影された画像の撮影情報が表示される。これにより、画像効果の確認とともに数値的な効果の確認も行なうことができるようになる。
【００１８】
また、請求項４に係る発明は、前記目的を達成するために、扁平縦長の直方体状に形成された前記カメラボディの背面右端又は左端のいずれか一方にグリップ部が形成されるとともに、他方に前記第１ディスプレイと前記第２ディスプレイとが縦列配置され、前記グリップ部に操作キーが縦列配置されたことを特徴とする請求項１、２又は３に記載のデジタルカメラを提供する。
【００１９】
本発明によれば、カメラボディが、いわゆる縦型に形成され、そのカメラボディの背面に第１ディスプレイと第２ディスプレイとが縦列配置される。そして、グリップ部に操作キーが縦列配置される。これにより、カメラボディのホールド性及び操作キーの操作性が向上するとともに、第１ディスプレイと第２ディスプレイの視認性も向上する。
【００２０】
また、請求項５に係る発明は、前記目的を達成するために、上下又は左右に並列して配置された前記第１ディスプレイと前記第２ディスプレイとを液晶ディスプレイで構成するとともに、前記第１ディスプレイと前記第２ディスプレイとの間にバックライトの光源を配設して共用したことを特徴とする請求項１、２、３又は４に記載のデジタルカメラを提供する。
【００２１】
本発明によれば、バックライトの光源を共用することにより、省電力化を図ることができる。
【００２２】
【発明の実施の形態】
以下、添付図面に従って本発明に係るデジタルカメラの好ましい実施の形態について詳説する。
【００２３】
図１〜図４は、それぞれ本発明に係るデジタルカメラの一実施形態を示す正面図、背面図、上面図、右側面図である。
【００２４】
同図に示すように、本実施の形態のデジタルカメラ１０のカメラボディ１２は、横方向の寸法に比して高さ方向の寸法が大きな、扁平縦長の直方体状に形成されている（いわゆる縦型ボディ）。このカメラボディ１２は、右利き用として構成されており、その正面左端（背面右端）を右手で把持し、右手人差指でレリーズ操作を行なうように構成されている。このため、カメラボディ１２には、その正面左端と背面右端にそれぞれグリップ部１２Ａ、１２Ｂが形成されており、各グリップ部１２Ａ、１２Ｂには、それぞれカメラボディ１２を把持した際、指掛かりとなるグリップ１４Ａ、１４Ｂが突出して形成されている。
【００２５】
カメラボディ１２の正面には、図１に示すように、撮影レンズ１６、ファインダ窓１８、ストロボ調光窓２０、セルフタイマランプ２２、マイク２４等が設けられている。撮影レンズ１６は、沈胴式のズームレンズで構成されており、沈胴時にはカメラボディ１２の内側に退避して、その前面を図示しないレンズバリアに覆われる。
【００２６】
カメラボディ１２の上面には、図３に示すように、ストロボ２６、レリーズボタン２８、モードダイヤル３０等が設けられている。レリーズボタン２８は、カメラボディ１２の上面左寄りの位置に配置されており、カメラボディ１２を右手で把持した際、その右手人差指が無理なく届くようにされている。同様にモードダイヤル３０は、カメラボディ１２の上面左寄りの位置に配置されており、カメラボディ１２を右手で把持した際、その右手親指が無理なく届くようにされている。このモードダイヤル３０は、水平方向に回転自在に指示されており、その停止位置によってカメラのモードが「スチルモード」、「ムービーモード」又は「再生モード」に選択的に設定される。
【００２７】
カメラボディ１２の右側面には、図４に示すように、スピーカ３２、音声／映像出力端子３４、ＵＳＢ端子３６、電源入力端子３８等が設けられており、図示しないカメラボディ１２の左側面には、開閉自在なカバーで覆われたカードスロットとバッテリ収納部とが設けられている。
【００２８】
カメラボディ１２の背面には、図２に示すように、ファインダ接眼部４０、画像モニタ４２、ステータスモニタ４４、十字ボタン４６、マクロボタン４８Ａ、ストロボボタン４８Ｂ、ＭＥＮＵ／ＯＫボタン４８Ｃ、ＢＡＣＫボタン４８Ｄ、ＤＩＳＰボタン４８Ｅ、電源ボタン４８Ｆが設けられている。
【００２９】
ここで、上述したようにカメラボディ１２の背面は、右端の部分がグリップ部１２Ｂとされており、このグリップ部１２Ｂを右手で把持して、レリーズ操作を行なうようにされている。このため、画像モニタ４２とステータスモニタ４４は、このグリップ部１２Ｂを把持した手で表示面が隠れることがないように、カメラボディ１２の左端の位置に上下に並列して配置されている。
【００３０】
この画像モニタ４２とステータスモニタ４４は、共に同じサイズのカラー液晶ディスプレイ（たとえば、アスペクト比４：３のカラー液晶ディスプレイ）で構成されており、通常、画像モニタ４２には、スルー画像やプレビュー画像、再生画像等の画像情報が表示される。一方、ステータスモニタ４４には、通常、シャッタ速度、絞り値（Ｆナンバ）、ホワイトバランス設定、露光方式、ＩＳＯ感度、露出補正値などの撮影情報が文字、絵文字で表示される。この画像モニタ４２とステータスモニタ４４の表示される情報は、設定又は使用するモードに応じて変化する。
【００３１】
カメラボディ１２の背面に配設された十字ボタン４６は、グリップ部１２Ｂの上方位置に配置されており、カメラボディ１２を把持した右手親指で無理なく操作できるようにされている。そして、この十字ボタン４６の下側にマクロボタン４８Ａ、ストロボボタン４８Ｂ、ＭＥＮＵ／ＯＫボタン４８Ｃ、ＢＡＣＫボタン４８Ｄ、ＤＩＳＰボタン４８Ｅ、電源ボタン４８Ｆの各ボタンが上下方向に二列で並列配置されている。
【００３２】
なお、十字ボタン４６は、上下左右４方向に押圧可能な押しボタンとして構成されており、各方向にはカメラの設定状況に応じて各種機能が割り当てられる（たとえば、撮影モード時には上下方向がズームボタンとして機能し、再生モード時には左右方向がコマ送りボタンとして機能する。）。
【００３３】
また、マクロボタン４８Ａ、ストロボボタン４８Ｂ、ＭＥＮＵ／ＯＫボタン４８Ｃ、ＢＡＣＫボタン４８Ｄ、ＤＩＳＰボタン４８Ｅ、電源ボタン４８Ｆの各ボタンは、共に押しボタンで構成されている。このうちマクロボタン４８Ａは、マクロ機能のＯＮ／ＯＦＦに使用され、ストロボボタン４８Ｂは、ストロボモード（オート発光、強制発光、赤目軽減発光、スローシンクロ発光、発光禁止）の切り替えに使用される。また、ＭＥＮＵ／ＯＫボタン４８Ｃは、撮影・再生メニューの表示や決定などに使用され、ＢＡＣＫボタン４８Ｄは、操作を途中でやめるときなどに使用される。また、ＤＩＳＰボタン４８Ｅは、画像モニタ４２及びステータスモニタ４４の表示切替等に使用され、電源ボタン４８Ｆは、カメラの電源をＯＮ／ＯＦＦするのに使用される。
【００３４】
図５は、本実施の形態のデジタルカメラ１０の内部構成を示すブロック図である。
【００３５】
同図において、ＣＰＵ６０は、本カメラシステムを統括制御する制御部であり、レリーズボタン２８、モードダイヤル３０、その他の操作部からの入力信号に基づいて各回路を制御する。ＲＯＭ６２には、このＣＰＵ６０が処理するプログラム及び制御に必要な各種データ等が格納されており、ＥＥＰＲＯＭ（不揮発性メモリ）６４には、各種設定情報などが格納される。
【００３６】
撮影レンズ１６を通過した光は、絞り６６によって光量が調節された後、ＣＣＤ６８の受光面に入射する。ＣＣＤ６８の受光面には、フォトセンサが平面的に配列されており、ＣＣＤ６８の受光面に結像された被写体像は、各フォトセンサによって入射光量に応じた量の信号電荷に変換される。なお、ＣＣＤ６８は、電子シャッタ機能を備えており、シャッターゲートパルスのタイミングによって各フォトセンサに蓄積される電荷の電荷蓄積時間（シャッタースピード）が制御される。
【００３７】
各フォトセンサに蓄積された信号電荷は、ＣＣＤドライバ７０から与えられるパルスに基づいて信号電荷に応じた電圧信号（画像信号）として順次読み出され、アナログ処理部７２に送られる。
【００３８】
アナログ処理部７２は、サンプリングホールド回路、色分離回路、ゲイン調整回路等の信号処理回路を含み、ＣＣＤ６８から読み出された画像信号は、このアナログ処理部７２において、相関二重サンプリング（ＣＤＳ）処理並びにＲ，Ｇ，Ｂの各色信号に色分離処理され、各色信号の信号レベルの調整（プリホワイトバランス処理）が行われる。そして、Ａ／Ｄ変換器７４によりデジタル信号に変換された後、内蔵バッファ７６を介してＲＡＭ７８に格納される。
【００３９】
なお、ＣＣＤドライバ７０、アナログ処理部７２及びＡ／Ｄ変換器７４には、タイミングジェネレータ７７からタイミング信号が与えられており、このタイミング信号によって各回路の同期がとられている。
【００４０】
ＲＡＭ７８に格納された画像データは、信号処理部８０へ送られる。信号処理部８０は、輝度・色差信号生成回路、ガンマ補正回路、シャープネス補正回路、コントラスト補正回路、ホワイトバランス補正回路等の画像信号処理回路及び音声信号処理回路を含むデジタルシグナルプロセッサ（ＤＳＰ）で構成され、ＣＰＵ６０からのコマンドに従って画像信号及び音声信号を処理する。ＲＡＭ７８から信号処理部８０に入力された画像データは、輝度信号（Ｙ信号）及び色差信号（Ｃｒ，Ｃｂ  信号）に変換されるとともに、ガンマ補正等の所定の処理が施された後、ＲＡＭ７８に格納される。
【００４１】
ＣＣＤ６８で捉えた画像を画像モニタ４２に表示する場合は、このＲＡＭ７８に格納された輝度・色差信号（ＹＣ信号）が、バス８４を介してＶＲＡＭ８６に格納される。ＶＲＡＭ８６に格納されたＹＣ信号は、ＶＲＡＭ８６からエンコーダ８７に送られ、ここでキャラクタジェネレータ８８から供給される文字や記号のデータとともに表示用の所定方式の信号（たとえば、ＮＴＳＣ方式のカラー複合映像信号）に変換された後、Ｄ／Ａ変換器８９を介して画像モニタ４２に出力される。
【００４２】
ＣＣＤ６８で捉えた画像をステータスモニタ４４に表示する場合も上記と同様であり、ＲＡＭ７８に格納された輝度・色差信号（ＹＣ信号）が、バス８４を介してＶＲＡＭ８６に格納され、ＶＲＡＭ８６からエンコーダ８７に送られる。そして、キャラクタジェネレータ８８から供給される文字や記号のデータとともにエンコーダ８７で表示用の信号に変換された後、Ｄ／Ａ変換器１０６を介してステータスモニタ４４に出力される。
【００４３】
ＣＣＤ６８からＲＡＭ７８内に取り込まれる画像信号は、定期的に書き換えられ、その画像信号から生成される映像信号を画像モニタ４２又はステータスモニタ４４に定期的に供給することにより、ＣＣＤ６８で捉えた画像が画像モニタ４２又はステータスモニタ４４にリアルタイムに表示される。撮影者は、この画像モニタ４２又はステータスモニタ４４にリアルタイムに表示される画像（スルー画）によって撮影画角を確認できる。
【００４４】
静止画の記録は、カメラのモードを「スチルモード」に設定し、レリーズボタン２８を押すことで可能になる。
【００４５】
「スチルモード」の下、レリーズボタン２８が押されると、撮影開始指示（レリーズＯＮ）信号が発せられる。ＣＰＵ６０は、このレリーズ信号を検知して、ＡＥ・ＡＦ制御を実行し、１コマ分の画像データを取得する。
【００４６】
この際、被写体が暗い場合には、ストロボ制御回路１０８が動作され、ストロボ２６からストロボ光が発光される。ストロボ制御回路１０８は、ＣＰＵ６０からのコマンドに従ってメインコンデンサの充電やキセノン管への放電タイミング等を制御する。
【００４７】
取得された画像データは、アナログ処理部７２、Ａ／Ｄ変換器７４、内蔵バッファ７６を介してＲＡＭ７８に格納され、信号処理部８０で所定の処理が施された後、ＲＡＭ７８に格納される。ＲＡＭ７８に格納されたＹＣ信号は、圧縮伸張処理部９０に送られ、ここでＪＰＥＧ等の所定の形式で圧縮されたのち、カードインターフェース９２を介して所定のファイル形式でメモリカード９４に記録される。
【００４８】
また、音声付き動画の記録は、カメラのモードを「ムービーモード」に設定することで可能になる。録画動作は、レリーズボタン２８を押すことでスタートし、更にもう一度押すことでストップする。１回の撮影で記録できる最長時間、画像サイズ、フレームレート及び記録方式などは予め定められており、例えば、１回の撮影で最長約１６０秒の音声（８ｋＨｚ，８ｂｉｔ，  モノラル）  付きムービーを撮影でき、３２０  ×２４０  ピクセル、１０フレーム／秒、Ｍｏｔｉｏｎ  ＪＰＥＧ  形式によってメモリカード９４に記録される。この際、音声はマイク２４からアンプ９７、Ａ／Ｄ変換器９８を介して信号処理部８０に入力され、信号処理部８０で所定の信号処理が施された後、動画データと共に所定のファイル形式でメモリカード９４に記録される。
【００４９】
このようにしてメモリカード９４に記録された静止画データ及び動画データは、カメラのモードを「再生モード」に設定することで再生が可能となる。
【００５０】
モードダイヤル３０でカメラのモードが「再生モード」に設定されると、メモリカード９４の最終ファイル（最後に記録されたファイル）の画像データが読み出される（動画ファイルの場合は、先頭フレームの画像データ）。読み出された画像データは、圧縮伸張回路９０によって伸張処理され、ＶＲＡＭ８６、エンコーダ８７、Ｄ／Ａ変換器８９、１０６を介して画像モニタ４２又はステータスモニタ４４に出力される。
【００５１】
画像モニタ４２又はステータスモニタ４４に表示される画像は、十字ボタン４６を右方向に押圧操作することで、順方向にコマ送りされ、左方向に押圧操作すると、逆方向にコマ送りされる。十字ボタン４６が、右方向又は左方向に押圧操作されると、次のファイルの画像データがメモリカード９４から読み出され、上記同様の処理を経て画像モニタ４２又はステータスモニタ４４に表示される。
【００５２】
また、動画の再生は、動画の先頭フレームが表示された状態で十字ボタン４６を下方向に押圧操作することで開始される。この際、音声データは、信号処理部８０においてデコードされた後、入出力（Ｉ／Ｏ）インターフェース１００を介してＤ／Ａ変換器１０２に供給され、Ｄ／Ａ変換器１０２によってアナログ信号に変換された後、アンプ１０４を介してスピーカ３２から出力される。
【００５３】
さて、上述したように、本実施の形態のデジタルカメラ１０は、画像モニタ４２に加えてステータスモニタ４４を備えており、通常、画像モニタ４２には画像情報、ステータスモニタ４４には撮影情報が表示される。そして、この画像モニタ４２とステータスモニタ４４の表示される情報は、設定又は使用するモードに応じて変化する。
【００５４】
以下、カメラの設定情況に応じた画像モニタ４２とステータスモニタ４４の表示例について説明する。
【００５５】
静止画を撮影するスチルモードでは、撮影モードとして、「基本撮影モード」と「比較撮影モード」とが用意されており、メニュー画面から選択できるようにされている（デフォルトは「基本撮影モード」）。
【００５６】
ここで、「基本撮影モード」を選択すると、図６（ａ）に示すように、画像モニタ４２にはスルー画像、ステータスモニタ４４には撮影情報が表示される。
【００５７】
撮影情報としては、たとえば、露出モード（Ｐ（プログラムＡＥ）、Ａ（絞り優先ＡＥ）、Ｓ（シャッタ速度優先ＡＥ）、Ｍ（マニュアルＡＥ））、シャッタ速度、絞り値、画質設定（ピクセル／クオリティー）、ＩＳＯ感度、ホワイトバランス設定、露出補正値、測光方式（スポット側光、中央部重点測光、マルチパターン測光）、マクロ機能のＯＮ／ＯＦＦ、ストロボモード等の情報のほか、撮影可能コマ数、電池残量などが表示される。
【００５８】
なお、この表示内容は、所定の設定操作（たとえば、メニュー画面での設定操作）を行なうことにより、任意に設定変更することができ、ユーザは撮影目的に応じて所望の情報を表示させる。
【００５９】
また、光学ファインダを使用して撮影する場合、スルー画像は不要なので、画像モニタ４２の表示をＯＦＦにする。画像モニタ４２の表示は、ＤＩＳＰボタン４８ＥによってＯＮ／ＯＦＦされ、これにより、光学ファインダ使用時の無駄な電力消費を抑えることができる。
【００６０】
この「基本撮影モード」において、プレビュー機能がＯＮにされていると、図６（ｂ）に示すように、撮影実行後、撮影された画像（プレビュー画像）が、画像モニタ４２に表示され、そのプレビュー画像の撮影情報がステータスモニタ４４に表示される。
【００６１】
撮影情報としては、撮影時のシャッタ速度や絞り値、ＩＳＯ感度、露出補正値、撮影画質、測光モード、ホワイトバランス設定等が表示され、これに加えて記録実行の有無を問う表示がなされる。なお、この撮影情報の表示内容についても上記同様に所定操作を行なうことにより、任意に設定変更することができ、ユーザは好みに合わせて必要な情報を表示させることができるものとする。
【００６２】
プレビュー画像が表示された状態でＭＥＮＵ／ＯＫボタン４８Ｃが押されると、撮影画像がメモリカード９４に記録され、ＢＡＣＫボタン４８Ｄが押されると、記録処理がキャンセルされる。そして、この記録処理又はキャンセルが行なわれると、画像モニタ４２には、再びスルー画像が表示され、ステータスモニタ４４には撮影情報が表示される。
【００６３】
なお、このプレビュー機能は、メニュー画面で設定するものとし、任意にＯＮ／ＯＦＦすることができるものとする。
【００６４】
一方、「比較撮影モード」が選択されると、基本画面として、図７（ａ）  に示すように、画像モニタ４２にはスルー画像、ステータスモニタ４４には撮影情報が表示される。
【００６５】
この基本画面の状態でＤＩＳＰボタン４８Ｅが押されると、図７（ｂ）に示すように、ステータスモニタ４４に前回撮影された画像が表示される（画像モニタ４２の表示はスルー画像のまま）。
【００６６】
この状態から更にもう一度ＤＩＳＰボタン４８Ｅが押されると、図７（ｃ）に示すように、前回撮影された画像に重ねて、その撮影情報が表示される（撮影画像に重ねずに撮影情報のみを表示させてもよい。）。
【００６７】
そして、更にもう一度ＤＩＳＰボタン４８Ｅが押されると、基本画面（図７（ａ）  参照）に復帰する。
【００６８】
また、ステータスモニタ４４に前回撮影された画像が表示された状態（図７（ｂ）参照）で、ＢＡＣＫボタン４８Ｄが押されると、基本画面（図７（ａ）  参照）が表示される。
【００６９】
撮影者は、このステータスモニタ４４に表示される前回の撮影画像及びその撮影情報を確認して、今回撮影する画像の構図や撮影条件を設定する。これにより、簡単に比較撮影を行なうことができる。この際、図７（ｂ）に示すように、スルー画像と前回撮影画像が上下に並列して表示されるため、撮影者は両者を簡単に比較することができる。
【００７０】
また、この「比較撮影モード」において、プレビュー機能がＯＮにされていると、図８（ａ）に示すように、撮影実行後、画像モニタ４２には、撮影された画像のプレビュー画像が表示され、ステータスモニタ４４には、前回撮影された画像が表示される。
【００７１】
この状態でＤＩＳＰボタン４８Ｅが押されると、図８（ｂ）に示すように、画像モニタ４２は、今回撮影された画像の撮影条件が重ねて表示され、ステータスモニタ４４には、前回撮影された画像の撮影情報が表示される。
【００７２】
図８（ａ）又は図８（ｂ）に示すように、画像モニタ４２にプレビュー画像が表示された状態でＭＥＮＵ／ＯＫボタン４８Ｃが押されると、今回撮影された画像がメモリカード９４に記録され、ＢＡＣＫボタン４８Ｄが押されると、記録処理がキャンセルされる。そして、この記録処理又はキャンセルが行なわれると、画像モニタ４２には、再びスルー画像が表示され、ステータスモニタ４４には撮影情報が表示される。
【００７３】
このように、プレビュー機能をＯＮにすると、画像モニタ４２には今回撮影された画像が表示され、ステータスモニタ４４には前回撮影された画像が表示される。これにより、撮影結果の比較を簡単に行なうことができる。また、この画像は上下に並べられて表示されるため、比較がしやすく、一見して撮影効果の差を確認することができる。
【００７４】
以上のようにして撮影された静止画像を再生モードで再生すると、画像モニタ４２には、再生画像が表示され、ステータスモニタ４４には、その再生画像の撮影情報が表示される  （図７（ｃ）参照）。
【００７５】
図９は、「ムービーモード」での画像モニタ４２とステータスモニタ４４の画面表示例である。
【００７６】
「ムービーモード」の下では、図９（ａ）に示すように、画像モニタ４２に撮影前のスルー画像及び撮影中の撮影画像が表示され、ステータスモニタ４４に撮影情報が表示される。動画の場合、撮影情報としては、たとえば動画サイズ（６４０×４８０、３２０×２４０）やフレームレート（３０フレーム、１５フレーム）等の情報が撮影情報として表示される。
【００７７】
また、このようにして撮影された動画を再生モードで再生すると、図９（ｂ）に示すように、画像モニタ４２には、撮影された動画が再生表示され、ステータスモニタ４４には、その動画の撮影情報や再生情報が表示される。すなわち、撮影時の動画サイズやフレームレート等の撮影情報のほかに、再生時間や再生バー、撮影日時などの再生情報が表示される。
【００７８】
なお、動画編集として、記録した動画から静止画を切り出し、静止画像として記録する場合には、画像モニタ４２に再生画像を表示させ、ステータスモニタ４４に切り出した静止画像を表示させるようにしてもよい。
【００７９】
以上説明したように、本実施の形態のデジタルカメラ１０によれば、画像モニタ４２とステータスモニタ４４とが並列して配置されているため、比較撮影や、撮影条件の確認を簡単に行なうことができる。
【００８０】
また、縦長に形成されたカメラボディ１２の裏面に画像モニタ４２とステータスモニタ４４を上下に並列して配置し、各種操作ボタン類をグリップ部１２Ｂ側に縦列配置することにより、小型化を図りつつ、ホールド性、操作性も保つことができる。
【００８１】
なお、本実施の形態では、画像モニタ４２とステータスモニタ４４を上下に並列して配置しているが、図１０に示すように、横長に形成されたカメラボディの場合には、左右に並列して配置させるようにしてもよい。
【００８２】
また、画像モニタ４２とステータスモニタ４４は近接して配置し、一体感をもたせることが好ましく、これにより、ユーザに対して両者の関連性を明確にでき、視認性も向上させることができる。
【００８３】
なお、画像モニタ４２とステータスモニタ４４は、サイズの異なるものを用いることも可能であるが、本実施の形態のデジタルカメラ１０のように、同じサイズのものを用いることが好ましい。また、異なるサイズのものを用いる場合であって、上下方向に並列して配置する場合は横幅が同じもの（左右方向に並列して配置する場合は高さが同じもの）を用いることが好ましい。これにより、画像モニタ４２とステータスモニタ４４との間に一体感を持たせることができ、ユーザに対して両者の関連性を明確にすることができる。
【００８４】
また、本実施の形態では、画像モニタ４２及びステータスモニタ４４にカラー液晶ディスプレイを用いているが、この他、有機ＥＬパネル等の表示手段を用いてもよい。
【００８５】
なお、透過型の液晶ディスプレイを用いた場合バックライトが必要になるが、この場合、図１１に示すように、画像モニタ４２とステータスモニタ４４の間にバックライトの光源１１０を配置し、省電力化を図りつつ両者を近接して配置することができる。
【００８６】
この際、画像モニタ４２とステータスモニタ４４は、横幅を同じに形成し（好ましくは、縦横同じ大きさに形成）、光源１１０は、このモニタの横幅と同じ長さに構成する。なお、図１０に示すように、画像モニタ４２とステータスモニタ４４を横方向に並列して配置する場合は、画像モニタ４２とステータスモニタ４４の高さを同じに形成し（好ましくは、縦横同じ大きさに形成）、光源１１０は、モニタの高さと同じ長さに構成する。
【００８７】
また、本実施の形態では、カメラボディ１２のグリップ部１２Ｂに十字ボタン４６、マクロボタン４８Ａ、ストロボボタン４８Ｂ、ＭＥＮＵ／ＯＫボタン４８Ｃ、ＢＡＣＫボタン４８Ｄ、ＤＩＳＰボタン４８Ｅ、電源ボタン４８Ｆを配置しているが、カメラボディ１２のグリップ部１２Ｂに配置するボタン類は、これに限定されるものではなく、そのカメラの有する機能に応じて適宜変更して設置することが好ましい。
【００８８】
また、本実施の形態では、比較撮影モードの下、ＤＩＳＰボタン４８Ｅを押すと、ステータスモニタ４４の表示が前回撮影された画像に切り替わるようにされているが、この表示切替を支持する手段及び方法は、これに限定されるものではない。たとえば、比較撮影モードの下、レリーズボタン２８を半押しすると、ステータスモニタ４４の表示が前回撮影された画像に切り替わるように構成してもよい（切り替わり前は撮影情報を表示）。
【００８９】
【発明の効果】
以上説明したように、本発明によれば、カメラボディの背面に第１ディスプレイと第２ディスプレイの２つのディスプレイが並列して配置され、所定の操作を行なうことにより、第２ディスプレイに前回撮影した画像を表示させることができる。これにより、簡単に前回撮影された画像を参照しながら撮影を行なうことができる。
【図面の簡単な説明】
【図１】本発明に係るデジタルカメラの一実施形態を示す正面図
【図２】本発明に係るデジタルカメラの一実施形態を示す背面図
【図３】本発明に係るデジタルカメラの一実施形態を示す上面図
【図４】本発明に係るデジタルカメラの一実施形態を示す右側面図
【図５】図１に示すデジタルカメラの内部構成を示すブロック図
【図６】基本撮影モード時における画像モニタとステータスモニタの表示例を示す図
【図７】比較撮影モード時における画像モニタとステータスモニタの表示例を示す図
【図８】プレビュー画像の表示例を示す図
【図９】ムービーモード時における画像モニタとステータスモニタの表示例を示す図
【図１０】本発明に係るデジタルカメラの他の実施の形態を示す正面図
【図１１】画像モニタとステータスモニタの設置構造を示す斜視図
【符号の説明】
１０…デジタルカメラ、１２…カメラボディ、１２Ａ、１２Ｂ…グリップ部、１４Ａ、１４Ｂ…グリップ、１６…撮影レンズ、２８…レリーズボタン、３０…モードダイヤル、３２…スピーカ、４２…画像モニタ、４４…ステータスモニタ、４６…十字ボタン、４８Ａ…マクロボタン、４８Ｂ…ストロボボタン、４８Ｃ…ＭＥＮＵ／ＯＫボタン、４８Ｄ…ＢＡＣＫボタン、４８Ｅ…ＤＩＳＰボタン、４８Ｆ…電源ボタン
【図１】
2004297358.tif 000003
【図２】
2004297358.tif 000004
【図３】
2004297358.tif 000005
【図４】
2004297358.tif 000006
【図５】
2004297358.tif 000007
【図６】
2004297358.tif 000008
【図７】
2004297358.tif 000009
【図８】
2004297358.tif 000010
【図９】
2004297358.tif 000011
【図１０】
2004297358.tif 000012
【図１１】
2004297358.tif 000013